(57)【要約】【課題】送信対象となる信号に発生するＤＣオフセットを補正する送信機で、非線形ポイントがある場合にも適切に補正する。【解決手段】演算手段１４、１７が信号に対してＤＣオフセットの補正値を演算し、検出手段が補正後のＤＣオフセットを反映する量を検出する。制御手段が、基準となる信号点及び当該信号点に対してステップサイズの間隔で配置される信号点からなる複数の信号点の中で、それぞれの信号点に対応する値を補正値として用いた場合に検出される量が最小となる信号点を次の基準となる信号点とすることを繰り返して行い、且つ、検出される量が小さくなったことに応じてステップサイズを小さい値へ変更することを実行して、検出される量が小さくなる値を補正値として設定する。【選択図】  図１
2008167494.tif 000002
【特許請求の範囲】
【請求項１】
送信対象となる信号に発生するＤＣオフセットを補正する送信機において、
前記信号に対してＤＣオフセットの補正値を演算する演算手段と、
前記演算手段により前記補正値が演算された後であって前記ＤＣオフセットが発生した後における信号についてＤＣオフセットを反映する量を検出する検出手段と、
基準となる信号点及び当該信号点に対してステップサイズの間隔で配置される信号点からなる複数の信号点の中で、それぞれの信号点に対応する値を前記演算手段により演算するＤＣオフセットの補正値として用いた場合に前記検出手段により検出される量が最小となる信号点を次の基準となる信号点とすることを繰り返して行い、且つ、この場合に前記検出手段により検出される量が小さくなったことに応じて前記ステップサイズを小さい値へ変更することを実行して、前記検出手段により検出される量が小さくなる値を前記演算手段により演算するＤＣオフセットの補正値として設定する制御手段と、
を備えたことを特徴とする送信機。
【請求項２】
請求項１に記載の送信機において、
前記ＤＣオフセットを反映する量は、前記送信対象となる信号の大きさより大きく、
前記送信対象となる信号はＩ相成分とＱ相成分からなり、
前記信号点はＩＱ平面上の信号点であり、
前記ＤＣオフセットの補正値はＩ相成分とＱ相成分からなり、
前記演算手段は、前記信号のＩ相成分に対して前記ＤＣオフセットの補正値のＩ相成分を加算或いは減算する手段と、前記信号のＱ相成分に対して前記ＤＣオフセットの補正値のＱ相成分を加算或いは減算する手段を有し、
当該送信機は、前記演算手段により前記ＤＣオフセットの補正値が演算された信号をＤ／Ａ変換するＤ／Ａ変換手段と、
前記Ｄ／Ａ変換手段によりＤ／Ａ変換された信号を直交変調する直交変調手段と、を備え、
前記検出手段は、前記直交変調手段より後段の信号についてＤＣオフセットを反映する量を検出する、
ことを特徴とする送信機。
【発明の詳細な説明】
【技術分野】
【０００１】
本発明は、送信対象となる信号に発生するＤＣオフセットの成分を補正する送信機に関し、特に、Ｄ／Ａコンバータに不連続ポイントがあるような場合においても、ＤＣオフセットの成分を適切に補正する送信機に関する。
【背景技術】
【０００２】
例えば、移動通信システムの基地局装置や移動局装置などでは、無線送信機により信号を無線送信することや、無線受信機により信号を無線受信することが行われる。
無線送信機は、一例として、公知でない特願２００５−１９８５９１号に記載されたものと同様の構成を有する。ここでは、説明の便宜上から、後述する本発明の実施例を説明する図１を参照し、図１に示されるのと同一の符号を用いて説明するが、本発明を限定する意図は無い。
【０００３】
無線送信機では、デジタル処理された信号がＤ／Ａ（Ｄｉｇｉｔａｌ  ｔｏ  Ａｎａｌｏｇ）コンバータ２、３を通ってアナログ信号へ変換される際に直流成分（Ｄ／Ａ変換におけるＤＣオフセット）が発生し、また、当該アナログ信号がアナログの直交変調器（ＡＱＭ）４を通って直交変調される際に基準周波数の漏れ（キャリアリーク）が発生する。本例では、これらの２つを総称してＤＣオフセットと呼ぶ。
制御部７は、キャリアリーク補正回路１におけるＤＣオフセット補正値を変化させることにより、ＤＣオフセットの成分を除去することができる。
【０００４】
図５（ａ）〜（ｄ）には、低レベル送信時に制御部７が行うキャリアリークキャンセルのアルゴリズムの一例を示してある。なお、信号はＩ相（同相）の成分とＱ相（直交）の成分から構成される。
本例では、ＩＱ平面上の或る１点と、そこからＩ軸方向に±１、Ｑ軸方向に±１にある点の範囲を考え、これら５点を順々にＤＣオフセット補正値としてキャリアリーク補正回路１に設定し、これら５点の中からフィードバック信号の電力値（残存するＤＣオフセットの電力値）が最小となる点を見つけ、次にその点を中心とした同様な５点を考えて同じ動作を繰り返して行い、これにより、残存するＤＣオフセットの電力値が最小となるＤＣオフセット補正値を探す。ここで、前記した±１の幅をステップサイズと呼ぶ。
【０００５】
具体的には、図５（ａ）に示されるように、ＩＱ平面上で各点間距離が１となる５点のそれぞれについて、各点をキャリアリーク補正回路１に設定したときに残存するＤＣオフセットの電力値を測定し、当該電力値が最小となる点を次の中心点とする。次に、図５（ｂ）に示されるように、当該次の中心点を基準とした同様な５点について同様に最小電力となる点を検索し、図５（ｃ）に示されるように、その点を次の中心点とする。同様な検索を繰り返して行うことにより、図５（ｄ）に示されるように、残存するＤＣオフセットの電力値が最も小さくなる点（正解値の点）を検索することができる。
【発明の開示】
【発明が解決しようとする課題】
【０００６】
しかしながら、無線送信機では、図５（ａ）〜（ｄ）に示されるようなアルゴリズムを用いても、ＤＣオフセットの成分を適切に除去することができない状況があるといった問題があった。
図６には、Ｉ相のＤＣオフセット補正値は正解値であるがＱ相のＤＣオフセット補正値が非線形ポイントから抜け出せないときにおける周波数スペクトルの一例を示してある。同図の横軸は周波数、縦軸はレベル（パワー）を示している。同図に示されるように、残存するＤＣオフセットによるキャリアリークが大きく残ってしまう。
【０００７】
このような問題のある状況では、Ｉ相又はＱ相のうちの少なくとも一方のＤＣオフセット補正値が正解値ではなく０或いはその付近で停滞する現象が発生している。これは、例えば、Ｄ／Ａコンバータ２、３の非線形特性によって、残存するＤＣオフセットの電力値が最小となるＤＣオフセット補正値を誤って検出するために発生する。
Ｄ／Ａコンバータの非線形特性は、例えば、各ビットの重みが正確に２のべき乗の関係になっていないことによるもので、バイポーラ出力時のゼロ出力付近に発生するものが最も深刻である。
図７には、補正値対キャリアリーク特性の一例を示してある。同図の横軸はＱ相のＤＣオフセット補正値を示しており、縦軸はリークしたキャリアの電力値の測定値（測定電力値）を示している。
【０００８】
なお、この測定電力値としては、直交変調器４からの出力信号を増幅器５及びＡ／Ｄ（Ａｎａｌｏｇ  ｔｏ  Ｄｉｇｉｔａｌ）コンバータ６を介してフィードバックした信号の電力値つまり送信電力値そのものを用いている。フィードバック信号を例えば、デジタル直交復調し、Ｉ相及びＱ相の２乗和（Ｉｉ２＋Ｑｉ２）の平均が測定電力値となり、キャリアリーク補正回路１への入力が無いか十分に小さければ、測定電力値はキャリアリークの電力値を十分に反映したものとなる。
【０００９】
キャリアリークは小さい程良いので、図７の例では、Ｑ相のＤＣオフセット補正値の正解値は図において左方向にあるが、前述のアルゴリズムでは補正値＝０における極小点（非線形ポイント）から抜け出せないために、正解値に到達することができず、ＤＣオフセットの成分を適切に補正することができない。
本発明は、このような従来の課題を解決するために為されたもので、例えば非線形ポイントがあるような場合においても、ＤＣオフセットの成分を適切に補正することができる送信機を提供することを目的とする。
【課題を解決するための手段】
【００１０】
上記目的を達成するため、本発明に係る送信機では、次のような構成により、送信対象となる信号に発生するＤＣオフセットを補正する。
すなわち、演算手段が、前記信号に対してＤＣオフセットの補正値を演算する。検出手段が、前記演算手段により前記補正値が演算された後であって前記ＤＣオフセットが発生した後における信号についてＤＣオフセットを反映する量（キャリアリークのレベル）を検出する。制御手段が、基準となる信号点及び当該信号点に対してステップサイズの間隔で配置される信号点からなる複数の信号点の中で、それぞれの信号点に対応する値を前記演算手段により演算するＤＣオフセットの補正値として用いた場合に前記検出手段により検出される量が最小となる信号点を次の基準となる信号点とすることを繰り返して行い、且つ、この場合に前記検出手段により検出される量が小さくなったことに応じて前記ステップサイズを小さい値へ変更することを実行して、前記検出手段により検出される量が小さくなる値を前記演算手段により演算するＤＣオフセットの補正値として設定する。
【００１１】
従って、基準となる信号点及びステップサイズにより設定される周囲の信号点からなる複数の信号点の中でＤＣオフセットの補正値として用いた場合にＤＣオフセットが最も良好に補正される信号点を次の基準とすることを繰り返し行ってＤＣオフセットの補正値を検索し、当該検索したＤＣオフセットの補正値を設定して送信対象となる信号に対して演算するに際して、補正後のＤＣオフセットの残量が大きいときには大きいステップサイズを用いて、補正後のＤＣオフセットの残量が小さくなったときに小さいステップサイズへ切り替えることにより、例えば、非線形ポイントがあるような場合においても、ＤＣオフセットの成分を適切に補正することができる。
【００１２】
ここで、補正の対象となるＤＣオフセットとしては、種々な処理部で発生するものが対象とされてもよく、例えば、Ｄ／Ａコンバータや直交変調器で発生するものを対象とすることができる。
また、ＤＣオフセットの補正値の演算後で且つＤＣオフセットの発生後では、キャリアリークのレベルを検出することにより、発生したＤＣオフセットが補正により低減された程度（残量）を把握することができる。
なお、ＤＣオフセットの補正値を演算する処理部とＤＣオフセットが発生する処理部との接続順序（処理の順序）としては、任意であってもよく、全体的には、発生したＤＣオフセットが補正値により補正されることになる。
また、ＤＣオフセットを反映する量（評価値）としては、リークしたキャリアの電力若しくは振幅のレベルを用いることが望ましいが、残留しているＤＣオフセットに対して単調に変化する量であれば｜Ｉ｜＋｜Ｑ｜の平均値、或いはＩ／Ｑを正しく分離できる状態であれば各相の平均値（直流成分）を用いることができる。
【００１３】
また、基準となる信号点の初期値としては、例えば、初期値とする信号点が予め設定される、又は、過去に良好であるとして検索された信号点が初期値として用いられる、などの態様を用いることができる。
また、基準となる信号点に対してステップサイズの間隔で配置される信号点としては、種々なものが用いられてもよく、例えば、基準となる信号点に対して上下左右のうちの１つ以上についてそれぞれステップサイズだけ離れた信号点を用いることができる。
また、信号点を検索する範囲となる複数の信号点の数としては、種々な数が用いられてもよい。
また、信号点の検索を繰り返して行う回数としては、任意の回数が用いられてもよい。
【００１４】
また、最終的に検索される信号点（ＤＣオフセットの補正値）としては、例えば、補正後のキャリアリークのレベルつまり残留しているＤＣオフセットが最小となる信号点が用いられるのが好ましいが、実用上で有効な程度で補正後のキャリアリークのレベルが小さくなる信号点が用いられてもよく、一例として、補正後のキャリアリークのレベルが所定の閾値以下（又は、未満）となる信号点を用いることができる。
また、信号点（ＤＣオフセットの補正値）の検索は、例えば、通信相手に対して実際に送信する対象となる信号を用いて行われてもよく、或いは、当該検索を行うために予め規定された信号を送信対象となる信号として用いて当該検索が行われて、最終的に検索された信号点（ＤＣオフセットの補正値）が設定された後に通信相手に対して実際に信号が送信されてもよい。
【００１５】
また、補正後のＤＣオフセットを反映する量が小さくなったときにステップサイズの値を小さく切り替える回数としては、種々な回数が用いられてもよい。
一例として、前記回数を１回として、初めは大きい値のステップサイズを用いて、補正後のキャリアリークのレベルが所定の閾値以下（又は、未満）となったときにステップサイズを小さい値へ切り替えるような態様を用いることができる。
また、前記回数を２回以上として、２つ以上の閾値について、補正後のキャリアリークのレベルがそれぞれの閾値以下（又は、未満）となったときにそれぞれに対応した値へステップサイズを切り替えるような態様を用いることができる。
他の例として、回数を特に限定せず、補正の都度、ＤＣオフセットのレベルに比例定数を乗じ（例えば、切り上げ等で整数化し）た値をステップサイズとしてもよい。
【００１６】
本発明に係る送信機では、一構成例として、次のような構成とした。
すなわち、前記ＤＣオフセットを反映する量は、前記送信対象となる信号の大きさより大きい。つまり、前記送信対象となる信号が小さい。ここで、送信対象となる信号の大きさとしては、ＤＣオフセットを反映する量と同じ単位が用いられ、例えば、電力や振幅絶対値などの単位を用いることができる。
また、前記送信対象となる信号はＩ相成分とＱ相成分からなる。前記信号点はＩＱ平面上の信号点である。前記ＤＣオフセットの補正値はＩ相成分とＱ相成分からなる。前記演算手段は、前記信号のＩ相成分に対して前記ＤＣオフセットの補正値のＩ相成分を加算（或いは、減算）する手段と、前記信号のＱ相成分に対して前記ＤＣオフセットの補正値のＱ相成分を加算（或いは、減算）する手段を有する。
当該送信機は、前記演算手段により前記ＤＣオフセットの補正値が演算された信号をＤ／Ａ変換するＤ／Ａ変換手段と、前記Ｄ／Ａ変換手段によりＤ／Ａ変換された信号を直交変調する直交変調手段を備える。
前記検出手段は、前記直交変調手段より後段の信号についてＤＣオフセットを反映する量を検出する。
【００１７】
従って、送信対象となる信号がＩ相成分及びＱ相成分からなるデジタル信号である場合に、Ｄ／Ａ変換手段や直交変調手段で発生するＤＣオフセットを良好に補正することができる。
【発明の効果】
【００１８】
以上説明したように、本発明に係る送信機によると、送信対象となる信号に発生するＤＣオフセットを補正するに際して、前記信号に対してＤＣオフセットの補正値を演算する機能と、前記補正値が演算された後であって前記ＤＣオフセットが発生した後における信号についてＤＣオフセットを反映する量を検出する機能を有し、基準となる信号点及び当該信号点に対してステップサイズの間隔で配置される信号点からなる複数の信号点の中で、それぞれの信号点に対応する値を前記演算するＤＣオフセットの補正値として用いた場合に前記検出される量が最小となる信号点を次の基準となる信号点とすることを繰り返して行い、且つ、この場合に前記検出される量が小さくなったことに応じて前記ステップサイズを小さい値へ変更することを実行して、前記検出される量が小さくなる値を前記演算するＤＣオフセットの補正値として設定するようにしたため、例えば、非線形ポイントがあるような場合においても、このような非線形ポイントを抜け出して、ＤＣオフセットの成分を適切に補正することができる。
【発明を実施するための最良の形態】
【００１９】
本発明に係る実施例を図面を参照して説明する。
図１には、本発明の一実施例に係る無線送信機の構成例を示してある。
本例の無線送信機は、キャリアリーク補正回路１と、Ｉ相のＤ／Ａコンバータ２と、Ｑ相のＤ／Ａコンバータ３と、アナログの直交変調器（ＡＱＭ）４と、例えば電力増幅器（ＰＡ）から構成された増幅器５と、Ａ／Ｄコンバータ６と、制御部７を備えている。
キャリアリーク補正回路１は、乗算器１１と、加算器１２と、乗算器１３と、加算器１４と、乗算器１５と、乗算器１６と、加算器１７から構成されている。
【００２０】
本例の無線送信機において行われる動作の一例を示す。
送信対象となるデジタル信号のＩ相成分（同相成分）とＱ相成分（直交成分）がキャリアリーク補正回路１に入力される。
乗算器１１は、入力されたＱ相成分に対して直交度（ＩＱの直交度）を補正するための補正値（直交度補正値）としてｔａｎθを乗算し、当該乗算結果を加算器１２へ出力する。
加算器１２は、直交度（ＩＱの直交度）を補正するために、入力されたＩ相成分と乗算器１１から入力された乗算結果とを加算し、当該加算結果を乗算器１３へ出力する。
乗算器１３は、加算器１２から入力された加算結果に対してＩ相のゲイン（ＩＱのゲイン比）を補正するための補正値（Ｉ相ゲイン補正値）を乗算し、当該乗算結果を加算器１４へ出力する。
加算器１４は、乗算器１３から入力された乗算結果とＩ相のＤＣオフセットを補正するための補正値（Ｉ相ＤＣオフセット補正値）とを加算し、当該加算結果をＤ／Ａコンバータ２へ出力する。
【００２１】
乗算器１５は、入力されたＱ相成分に対して直交度（ＩＱの直交度）を補正するための補正値（直交度補正値）として（１／ｃｏｓθ）を乗算し、当該乗算結果を乗算器１６へ出力する。
乗算器１６は、乗算器１５から入力された乗算結果に対してＱ相のゲイン（ＩＱのゲイン比）を補正するための補正値（Ｑ相ゲイン補正値）を乗算し、当該乗算結果を加算器１７へ出力する。
加算器１７は、乗算器１６から入力された乗算結果とＱ相のＤＣオフセットを補正するための補正値（Ｑ相ＤＣオフセット補正値）とを加算し、当該加算結果をＤ／Ａコンバータ３へ出力する。
【００２２】
Ｄ／Ａコンバータ２は、加算器１４から入力された補正後のＩ相成分の信号をデジタル信号からアナログ信号へ変換して直交変調器４へ出力する。
Ｄ／Ａコンバータ３は、加算器１７から入力された補正後のＱ相成分の信号をデジタル信号からアナログ信号へ変換して直交変調器４へ出力する。
直交変調器４は、Ｄ／Ａコンバータ２から入力されたＩ相成分及びＤ／Ａコンバータ３から入力されたＱ相成分について直交変調を行い、当該直交変調結果の信号を増幅器５へ出力する。
【００２３】
増幅器５は、直交変調器４から入力された信号を増幅して出力する。この出力信号は、例えば、アンテナ（図示せず）から無線により送信される。
また、増幅器５から出力された信号の一部は、フィードバックのために、結合器（カプラ）などにより取得されて、Ａ／Ｄコンバータ６に入力される。
Ａ／Ｄコンバータ６は、入力されたフィードバック信号をアナログ信号からデジタル信号へ変換する。なお、Ａ／Ｄコンバータ６への入力は適宜、ＩＦに変換されたものであるが、その中心周波数は、Ｄ／Ａコンバータ２、３が出力するＩＦのそれとは異なるように設定する。これによりＤＣオフセットがどちらで発生したものか区別できる。
【００２４】
制御部７は、Ａ／Ｄコンバータ６により取得されたデジタルのフィードバック信号の電力値を、補正後に残存するＤＣオフセットを反映する量として測定により検出する。
本例では、前記制御部により、このようにして検出される量が小さくなるように、キャリアリーク補正回路１におけるＩ相ＤＣオフセット補正値及びＱ相ＤＣオフセット補正値を変化させて（更新して）いき、当該電力値が最小となるＩ相ＤＣオフセット補正値及びＱ相ＤＣオフセット補正値を設定する。
【００２５】
ここで、本例では、デジタル処理された信号がＤ／Ａコンバータ２、３を通ってアナログ信号へ変換される際に発生する直流成分（Ｄ／Ａ変換におけるＤＣオフセット）と、当該アナログ信号がアナログの直交変調器（ＡＱＭ）４を通って直交変調される際に発生する基準周波数の漏れ（キャリアリーク）との２つによる直流成分のオフセット（ずれ）を総称してＤＣオフセットと呼ぶ。
なお、本例の無線送信機では、Ｉ相及びＱ相のＤＣオフセット補正値の設定に係る構成に主な特徴点があるため、直交度補正値やＩ相或いはＱ相のゲイン補正値の設定については詳しい説明を省略するが、種々な態様が用いられてもよい。
【００２６】
次に、本例の無線送信機においてＤＣオフセットの成分を補正により除去するアルゴリズムについて説明する。
本例では、Ｉ相ＤＣオフセット補正値及びＱ相ＤＣオフセット補正値を変化させていくに際して、その変化の幅となるステップサイズを±（プラスマイナス）１に固定するのではなく、フィードバック信号から得られる残存するＤＣオフセットの大きさに応じてステップサイズの大きさを変更する。
【００２７】
図２には、ステップサイズと非線形ポイント抜け出し可否との関係の一例を示してある。同図の横軸はＱ相ＤＣオフセット補正値を示しており、縦軸は残存するキャリアリークの測定電力値を示している。
図２に示されるように、ステップサイズを±１のように小さい値とすると、検索の途中で非線形ポイントを越えて補正値が変化させられることがないため、補正値が非線形ポイントから抜け出すことができず、誤った補正値を検出してしまう。これに対して、ステップサイズを±５のように大きい値とすると、検索の途中で非線形ポイントを越えて補正値が変化させられることがあるため、補正値が非線形ポイントから抜け出すことができ、正しい補正値を検出することが可能となる。なお、ここでいう１のステップサイズとは、Ｄ／Ａコンバータ２、３の最小分解能（最下位ビットの重み）に相当し、扱うことのできる量の最小単位である。従って５はその最小単位の５倍である。
【００２８】
また、例えば大きいステップサイズを用いて非線形ポイントを抜け出した後に、補正値が正解値に近づいたときにもステップサイズが大きいままであると、変動幅が大きいために、正解値付近でも検出されるＤＣオフセットの電力値が大きく変動してしまうことになる。そこで、通常は、補正値が正解値に近いほど残存するＤＣオフセット成分の電力が小さくなり、補正値が正解値から離れるほど残存するＤＣオフセット成分の電力が大きくなることに着目して、本例では、検出したＤＣオフセットの電力値の大きさによってステップサイズの大きさを変化させるようにした。
【００２９】
図３（ａ）〜（ｄ）には、本例の無線送信機において用いられる、低レベル送信時におけるキャリアリークキャンセルのアルゴリズムの一例を示してある。
本例では、ＩＱ平面上の或る１点と、そこからＩ軸方向に±ｚ、Ｑ軸方向に±ｚにある点の範囲を考え、これら５点を順々にＤＣオフセット補正値としてキャリアリーク補正回路１に設定し、これら５点の中からフィードバック信号の電力値（残存するＤＣオフセットの電力値）が最小となる点を見つけ、次にその点を中心とした同様な５点を考えて同様な動作を繰り返して行い、これにより、残存するＤＣオフセットの電力値が最小となるＤＣオフセット補正値を探す。また、これに際して、フィードバック信号の電力値（残存するキャリアリークの電力値）が大きい値から小さい値へ変化するのに応じて、ステップサイズｚの大きさを大きい値から小さい値へ変更する。
【００３０】
具体的には、図３（ａ）に示されるように、初期において又は或る途中の時点において、ＩＱ平面上に設定された中心点及びそれに対して点間距離がＸ（＝ステップサイズｚ）となる４点の総じて５点のそれぞれについて、各点をキャリアリーク補正回路１に設定したときに残存するＤＣオフセットの電力値を測定し、当該電力値が最小となる点を次の中心点とする。ここで、Ｘは１より大きい値である（Ｘ＞１）とする。また、初期の中心点は例えば予め設定されており、初期以外の途中の時点の中心点は前回の検索で決定された点である。
また、これらの５点は、ＩＱ平面上における中心点の座標が（ｘ０、ｙ０）であるとすると、点（ｘ０、ｙ０）、点（ｘ０−Ｘ、ｙ０）、点（ｘ０＋Ｘ、ｙ０）、点（ｘ０、ｙ−Ｘ０）、点（ｘ０、ｙ０＋Ｘ）となる。
また、ＩＱ平面上の点（ｘ、ｙ）をキャリアリーク補正回路１に設定する場合には、Ｉ相ＤＣオフセット補正値としてｘの値を設定し、Ｑ相ＤＣオフセット補正値としてｙの値を設定する。
【００３１】
次に、図３（ａ）において検出された前記次の中心点における電力値（最小電力の値）が例えば予め設定された閾値より小さいか否かを判定する。本例では、当該最小電力値が当該閾値以上であるとし、このため、ステップサイズｚの大きさとして前記したＸを用いることとする。
図３（ｂ）に示されるように、ステップサイズＸ（＝ｚ）を用いて、前記次の中心点を基準とした上記と同様な５点について上記と同様に最小電力となる点を検索して、次の中心点とする。
【００３２】
次に、図３（ｂ）において検出された前記次の中心点における電力値（最小電力の値）が例えば予め設定された閾値より小さいか否かを判定する。本例では、当該最小電力値が当該閾値より小さくなったとし、このため、ステップサイズｚの大きさを前記したＸより小さくして、ステップサイズｚとして１を用いることとする。
図３（ｃ）に示されるように、ステップサイズ１（＝ｚ）を用いて、前記次の中心点を基準とした上記と同様な５点（但し、ステップサイズは異なる）について上記と同様に最小電力となる点を検索して、次の中心点とする。
【００３３】
上記と同様な検索を繰り返して行うことにより、検出される最小電力の値が次第に小さくなっていき、最小値へ収束していく。
このようにして、図３（ｄ）に示されるように、残存するＤＣオフセットの電力値が最も小さくなる点（正解値の点）を検索することができる。このような正解値の点の値をキャリアリーク補正回路１のＩ相ＤＣオフセット補正値及びＱ相ＤＣオフセット補正値に設定することにより、ＤＣオフセットの成分を精度よく除去することができる。
【００３４】
図４には、本例の無線送信機により行われる低レベル送信時におけるキャリアリークキャンセルのアルゴリズムの動作結果の一例を示してある。同図の横軸は周波数を示しており、縦軸は残存するＤＣオフセットによるキャリアリークのレベルを示している。
ノイズフロアとほぼ同レベルまでキャリアリークが抑圧されているのが分かる。
【００３５】
以上のように、本例の無線送信機では、Ｄ／Ａコンバータ２、３の非線形特性などに起因して送信対象となる信号に発生するＤＣオフセットを補正するための補正値（Ｉ相ＤＣオフセット補正値及びＱ相ＤＣオフセット補正値）を設定する構成を工夫することにより、Ｄ／Ａコンバータ２、３の非線形特性などの影響を回避して、ＤＣオフセットの成分を精度よく補正して除去することができ、通信の品質を向上させることができる。
【００３６】
特に、トーン信号であるキャリアリークは通常の変調信号（送信信号）に比べ同じ電力でも大きな振幅が安定して検出できるので、キャリアリークを含めた送信電力そのものを最小化する様にＤＣオフセットの補正値を設定する本例では、低レベル送信時でも正常に収束するアルゴリズムを実現できる。
【００３７】
なお、本例の無線送信機では、キャリアリーク補正回路１の加算器１４、１７の機能によりＤＣオフセットの補正値を演算する演算手段が構成されており、制御部７がＡ／Ｄコンバータ６を介して補正後のＤＣオフセットを反映する量を検出する機能により検出手段が構成されており、制御部７が当該検出される量に基づいて良好なＤＣオフセットの補正値（信号点）を検索や設定する機能により制御手段が構成されており、Ｄ／Ａコンバータ２、３の機能によりＤ／Ａ変換手段が構成されており、直交変調部４の機能により直交変調手段が構成されている。
【図面の簡単な説明】
【００３８】
【図１】本発明の一実施例に係るキャリアリーク補正回路を備えた無線送信機の構成例を示す図である。
【図２】ステップサイズと非線形ポイント抜け出し可否の関係の一例を示す図である。
【図３】（ａ）〜（ｄ）は本発明の一実施例に係る低レベル送信時におけるキャリアリークキャンセルのアルゴリズムの一例を説明するための図である。
【図４】本発明の一実施例に係る低レベル送信時におけるキャリアリークキャンセルのアルゴリズムの動作結果の一例を示す図である。
【図５】低レベル送信時におけるキャリアリークキャンセルのアルゴリズムの一例を説明するための図である。
【図６】補正値が非線形ポイントから抜け出せないときにおける周波数スペクトルの一例を示す図である。
【図７】補正値対キャリアリーク特性の一例を示す図である。
【符号の説明】
【００３９】
１・・キャリアリーク補正回路、  ２、３・・Ｄ／Ａコンバータ、  ４・・直交変調器、  ５・・増幅器、  ６・・Ａ／Ｄコンバータ、  ７・・制御部、  １１、１３、１５、１６・・乗算器、  １２、１４、１７・・加算器、
【図１】
2008167494.tif 000003
【図２】
2008167494.tif 000004
【図３】
2008167494.tif 000005
【図４】
2008167494.tif 000006
【図５】
2008167494.tif 000007
【図６】
2008167494.tif 000008
【図７】
2008167494.tif 000009